(57)【要約】【課題】監視カメラを単数台としてコスト削減及びコンパクト化を図るにもかかわらず、所定フィールドの視野範囲の全体を空間的かつ時間的に途切れることなく鮮明に撮影して記録することができる野外用監視カメラシステムの提供。【解決手段】４個の固定ブロックを設置面に設置し、そのボルト軸１２に収納箱２０の支持片２２を挿通して、下側ナット１３に載置支持することで、収納箱２０、支柱３０、操作箱４０、カメラユニット５０及びシェード６０からなる監視カメラシステム本体を台座ユニット１０に組み付けて固定する。フィールドの地形等に応じて撮影範囲や構図を変更する場合、台座ユニット１０から監視カメラシステム本体を取り外し、別の設置位置へ移動して、再度、台座ユニット１０に監視カメラシステム本体を固定する。【選択図】図１
2015019667.tif 000002
【特許請求の範囲】
【請求項１】
起伏地を含む野外のフィールドに設置されて前記フィールドの所定の視野範囲を監視する野外用監視カメラシステムであって、
前記フィールドの所定の設置位置に載置して設置自在な複数個の固定ブロックと、前記各固定ブロックの中心から上方に垂直に突出する支持高さ調節軸と、前記支持高さ調節軸の所望高さ位置に固定自在な重量物支持部とを有する台座ユニットと、
所定の収納空間を有する収納部と、前記収納部に一体的に設けられ、前記台座ユニットの支持高さ挿通軸を挿通して、前記支持高さ挿通軸の所望高さ位置に固定した前記重量支持部により下方から支持される支持片とを有する収納箱と、
前記収納箱に垂直に立設して固定される支柱と、
前記支柱に固定され、撮影制御機能を有する操作盤と、前記操作盤の制御により映像データを記録する記録媒体を着脱自在な着脱部とを有する操作箱と、
前記支柱の上端部に固定され、前記操作盤により撮影制御されると共に、前記操作盤に撮影映像を出力するカメラ本体と、
前記収納箱の収納空間に収納され、前記操作盤及び前記カメラ本体へ電力を供給する蓄電池とを備えることを特徴とする野外用監視カメラシステム。
【請求項２】
前記台座ユニットは、
前記固定ブロックを４個有して、設置面に対して４個の固定ブロックを前後左右のそれぞれの位置に配置するようにし、
前記支持高さ調節軸として、前記固定ブロックの中心から上方に垂直に突出する所定高さ寸法のボルト軸を有し、
前記重量物支持部として、前記ボルト軸に螺合された下側ナットを有し、
更に、前記ボルト軸において前記下側ナットの上側に螺合された上側ナットを有することを特徴とする請求項１記載の野外用監視カメラシステム。
【請求項３】
前記台座ユニットは、傾斜した設置面に設置される場合、前記下側ナットの絶対的高さ位置が同一高さ位置となるよう、前記設置面の傾斜に応じて前記ボルト軸に対する前記下側ナットの螺合による固定位置を変更自在であることを特徴とする請求項２記載の野外用監視カメラシステム。
【請求項４】
前記支柱の高さ寸法は、前記フィールドの所定の視野範囲の全体及び前記視野範囲内における移動物を空間的及び時間的に途切れることなく連続して網羅的に撮影できる高さ寸法として、２．５〜４．０メートルの範囲内に設定されていることを特徴とする請求項１から３のいずれか１項記載の野外用監視カメラシステム。
【請求項５】
前記台座ユニットは、前記支持高さ調節軸に対する前記重量物支持部の高さ位置を調節することで、前記カメラ本体の高さ位置を調節自在であることを特徴とする請求項１から４のいずれか１項記載の野外用監視カメラシステム。
【請求項６】
前記監視カメラの画角は、前記フィールドの所定の視野範囲の全体及び前記視野範囲内における移動物を空間的及び時間的に途切れることなく連続して網羅的に撮影できる画角として、水平方向で８５度〜１２０度の範囲内の画角に設定されていることを特徴とする請求項１から５のいずれか１項記載の野外用監視カメラシステム。
【発明の詳細な説明】
【技術分野】
【０００１】
本発明は、起伏地を含む野外に設置されて所定の視野範囲を監視する野外用監視カメラシステムに関し、特に、ゴルフ場（ゴルフコース）のホールに設置されてホールインワンやチップインショット等を監視して確認したり、山林に設置されて不法投棄等を監視して確認したりする野外用監視カメラシステムに関する。
【背景技術】
【０００２】
従来、野外に設置される監視カメラシステムの発明として、特許文献１又は特許文献２に記載の発明がある。これらの発明は、いずれも、監視カメラを設置する野外の場所又は施設としてゴルフ場を対象とし、ゴルフにおけるホールインワンを認定又は確認することを目的としている。詳細には、特許文献１の発明は、ノーキャディのゴルフ場であっても、安価にホールインワンの認定のための十分な証拠を敏速に得ることができるホールインワン認定システムを得ることを課題として、（その図２に示すように）ティーグランドの（２台）カメラで撮影されたティーグランド映像と、グリーン上のカメラのグリーン上映像とを４分割合成し、時刻を入力した映像をクラブハウスの運営管理装置に送って表示、記憶させて、ホールインワンの確認を行わせる。そして、保険会社にこれらの映像と関連情報を送信すると共に、ＩＤコードをプレイヤー端末装置に対して発行し、プレイヤーがＩＤ番号を使用して提携オンラインマーケットから好きな賞品を注文する。これによって、認定からホールインワン保険適用審査、賞品注文、賞品配送までをネットワークを利用してトータルに行うようになっている。（以上、特許文献１の要約参照）
【０００３】
また、特許文献２の発明は、ティーショット時のプレイヤーの顔が正面から撮像でき、かつ同プレイヤーがホールインワンを達成したかどうかを確実かつ容易に確認できるホールインワン確認システムを提供することを課題として、（その図１に示すように）ティーエリア用カメラとグリーン用カメラをグリーン近傍で、かつ、ティーエリアが望める位置に隣接配置し、両カメラを駆動する電力をクラブハウスからグリーン間の１系統の電力線で供給している。また、この発明は、更に、両カメラの画像信号を多重化して１系統の伝送路で伝送することも可能にしている。そして、この発明は、伝送された両カメラの画像信号を撮像時刻情報とともに記録する記録媒体と、両カメラが撮像したプレイヤーのティーショットの動画像とカップ周辺のボールの動きとを表示する表示手段とを備え、表示手段に表示された画像によってホールインワンを客観的に確認できるようにしている。
【先行技術文献】
【特許文献】
【０００４】
【特許文献１】特開２００３−１１１８８２号公報
【特許文献２】特開２００９−１５９５１５号公報
【発明の概要】
【発明が解決しようとする課題】
【０００５】
ここで、特許文献１及び特許文献２の発明は、いずれも、ホールインワンの認定又は確認のために、カメラを２台（又は２台以上）使用している。これは、カメラによる監視対象となる場所又は領域（以下、「フィールド」という。）が、ゴルフコースのショートホールであって長距離のフィールドとなり、かつ、ゴルフコースのティーイングラウンドとグリーンとを共に明瞭に撮影する必要があるためであると考えられる。即ち、ゴルフコースのホール長は、ホールインワンの対象となるショートホールの場合でも、全長が最長で２１０ヤード（女子の場合）又は２５０ヤード（男子の場合）と相当大きな距離になる一方、ホールインワン保険の適用審査用の資料とするためには、ティーイングラウンドのプレイヤーのショット映像を明瞭に撮影することに加え、ショット後のゴルフボールがグリーン上にグリーンオンしてカップインするまでの映像を明瞭に撮影する必要がある。このため、特許文献１及び特許文献２の発明は、いずれも、ティーイングランドの映像はティーイングラウンド専用のカメラで撮影し、グリーンの映像はグリーン専用のカメラで撮影して、これら２台（又は２台以上）のカメラからの映像を組み合わせて表示（具体的には、表示装置の同一画面上に並設して表示）するようにしているものと考えられる。
【０００６】
しかし、特許文献１及び特許文献２の発明は、いずれも、フィールド撮影用の監視カメラを２台以上必要とするため、まず、（相対的に高価となる）監視カメラの台数自体の増加に伴いコストが必然的に増大する。また、２台以上の監視カメラを使用してグリーン上の映像とグリーンから遠距離となるティーイングラウンド上の映像とを別個に撮影し、それら別個に撮影した２以上の映像（例えば、特許文献１の場合は４分割された４つの映像）を１台の表示装置のモニター画面で確認用に表示するために、２以上の映像を１台の表示装置のモニター画面に分割して表示するための構成（特に、分割表示用のプログラム等のソフトウエア的構成）が必須となり、この点でも、全体の構成が複雑化し、コスト増大の要因となる。例えば、特許文献１の発明では、２台のティーエリア用カメラからの映像と１台のグリーンエリア用カメラからの映像とを収集するための中継装置（及び中継装置への映像送信用の信号伝送手段）が必須の構成であり、この中継装置自体も、映像時刻合成部及びタイマーを用いて（時刻を書き込んだ）４分割合成映像を作成する特別なソフトウエア構成を備る必要がある（００５５〜００５６段落参照）。また、特許文献２の発明では、ティーエリア用カメラからの画像とグリーン用カメラからの画像とを多重化するための信号多重化装置（及び多重化装置への画像伝送用のケーブル）と、多重化装置からの多重化信号を処理する記録再生装置（及び記録再生装置への多重化信号伝送用のケーブル）が必須の構成であり、更に、信号多重化装置自体も、伝送されてきた多重化信号から元のティーエリア用カメラの画像信号とグリーン用カメラの画像信号とを復元するソフトウエア構成が必要とする（００２０段落参照）。
【０００７】
一方、本発明者らは、野外用監視カメラシステムとして、監視カメラによりゴルフコースを監視するゴルフコース監視カメラシステムの着想を得て、（特許文献１及び特許文献２と同様）ホールインワン保険申請用の証拠資料として監視カメラにより撮影した映像を利用することを考え、ゴルフコース監視カメラシステムの研究開発に着手した。そして、本発明者らは、その研究開発の過程で、特にコスト削減の要請から、１台（単数台）の監視カメラでゴルフコースの監視対象としたいフィールド（以下、説明の便宜上、「監視フィールド」という。）の全域を監視することができないかと考え、鋭意研究開発を重ねた。具体的には、まず、本発明者らは、１台の監視カメラをグリーンよりも（ティーイングラウンドから見て）奥側の場所に設置し、その監視カメラのアングルを調節することで、グリーンオンする直前のプレイヤーのショット（ショートホールのティーイングラウンド上のプレイヤーのティーショット、又は、ミドルホール若しくはロングホールのグリーンオン直前のショットであって、以下、説明の便宜上、「最終ショット」という。）の瞬間から、最終ショットのゴルフボールがグリーンオンしてカップインするまでの一連の映像を鮮明に撮影すべく、実機を製作して実際の撮影実験を行った。その結果、本発明者らは、まず、１台のカメラでゴルフコースの全域をカバーしてティーイングラウンド上のプレイヤーのショット映像からグリーンオン後のカップイン映像までを網羅的に撮影しようとすると、特に、ゴルフコースに特有の地形（凹凸や起伏等）に起因して数々の克服すべき課題が存在するとの知見を得た。以下、この知見について詳述するが、この知見は、本発明者らが本発明を完成するまでの過程で得た独自の知見であり、本発明の課題の新規性を示すものである。
【０００８】
即ち、まず、ホールインワンやチップインを確認するためには、プレイヤーの最終ショットの時点の映像からショット後のゴルフボールがグリーンオンしてカップインする時点までの映像を連続的に撮影して記録することが必要となるが、１台の監視カメラのみでこれらの映像を撮影及び記録するためには、その映像を経時的及び空間的に区分すると、（１）プレイヤーがコース上のゴルフボールを最終ショットする地点における当該最終ショットの映像（即ち、遠距離にあるプレイヤーのショットを中心とした第１の映像）、（２）ゴルフボールが最終ショット地点からコース上を飛来してグリーンエッジに到達するまでの映像（即ち、ゴルフボールの遠距離から近距離までの飛来を中心とした第２の映像）、（３）ゴルフボールがグリーン上に到達してグリーン上を転動しカップインするまでの映像（即ち、近距離におけるゴルフボールの転動を中心とした第３の映像）、（４）プレイヤーが最終ショット後に最終ショット地点からグリーンまでコース上を歩行し、グリーン上でカップからゴルフボールを取り出すまでの映像（即ち、プレイヤーの遠距離から近距離までの歩行を中心とした第４の映像）、の４種類の映像が必要となる。そして、１台の監視カメラのみを使用して、特定のプレイヤーがホールインワンやチップインショットを成功したことを確認するための信頼性の高い映像データを作成するには（例えば、ホールインワンの証拠資料として認定される映像データを作成するには）、上記第１の映像から第４の映像までを全て連続的に撮影する（経時的に連続した途切れることのない映像とする）ことが有効である。
【０００９】
一方、ゴルフコースは、ショートホールの場合でもホール長が１５０〜２００ヤード前後と相当に長い距離となる。よって、上記第１の映像の撮影には、遠距離地点（少なくとも百数十ヤード以上となる最終ショット地点）の被写体（ショット中のプレイヤー）を鮮明に撮影する必要があり、逆に、上記第３の映像の撮影には、近距離範囲（グリーン後方に監視カメラを設定する数ヤード〜３０ヤード前後の範囲）を短時間で移動する被写体（転動するゴルフボール）を鮮明に撮影する必要がある。また、上記第２の映像の撮影には、前記遠距離地点（最終ショット地点）から近距離地点（グリーンエッジ地点）までの遠距離を短時間で移動する被写体（飛来するゴルフボール）を鮮明に撮影する必要があり、同様に、上記第４の映像の撮影には遠距離地点（最終ショット地点）から近距離地点（グリーンエッジ地点）までの遠距離をある程度の時間で移動する被写体（歩行するプレイヤー）を鮮明に撮影する必要がある。したがって、１台の監視カメラで上記第１の映像から第４の映像までを全て連続的に撮影する場合、まず、第１の映像の撮影のためには、プレイヤーが最終ショットを打つ可能性のある地点の範囲（以下、「予想ショット地点範囲」という。）を網羅するよう、監視カメラのアングルを設定する必要があり、第３の映像の撮影のためには、ゴルフボールが転動する可能性のあるグリーンの範囲（以下、「予想グリーン面範囲」という。）を網羅するよう、監視カメラのアングルを設定する必要がある。また、１台の監視カメラで上記第１の映像から第４の映像までを全て連続的に撮影する場合、第２の映像の撮影のためには、最終ショット後のゴルフボールが前記遠距離から近距離まで飛行すると予想される軌跡の範囲（以下、「予想飛球軌跡範囲」という。）を網羅するよう、監視カメラのアングルを設定する必要があり、第４の映像の撮影のためには、最終ショット後のプレイヤーが前記遠距離から近距離まで歩行すると予想される軌跡の範囲（以下、「予想歩行軌跡範囲」という。）を網羅するよう、監視カメラのアングルを設定する必要がある。
【００１０】
ここで、前記予想ショット地点範囲は、（例えば、ホールインワン確認のための）ショートホールの場合は、ティーイングランドの全面となるが、（チップイン確認のための）ミドルホールやロングホールの場合、最終ショットを打つことになると予想されるコース上の地点の全範囲（即ち、フェアウェイ、ラフ、フェアウェイバンカー等において、グリーンから最終ショットの予想飛距離だけ離間した地点の全範囲であって、前後方向のみならず左右方向にもある程度の幅を持たせた平面方向範囲）となる。加えて、ティーイングラウンドは打ち上げ又は打ち下ろしとなる場合もあり、また、その他のコース部分も上下方向に起伏があることが通常である。したがって、予想ショット地点範囲を網羅するためには、水平方向の所定範囲を網羅するのみならず、垂直方向の所定範囲も網羅するよう幅を持たせたカメラアングルを採用する必要がある。次に、前記予想グリーン面範囲は、プレイで使用するグリーンの全面となるが、コースによってはメイングリーンのほかに予備グリーン（サブグリーン）がある場合もあり、この場合、プレイで使用する方のグリーン（メイングリーン又は予備グリーンのいずれか）の全面範囲となる。加えて、グリーンは、部分的な傾斜面や窪み又はこぶ等を有する場合もあり、更に、グリーンが全体的に凸部状となってその外周縁が窪み縁部となる場合もある。したがって、予想グリーン面範囲を網羅するためには、グリーンの全面について水平方向の所定範囲を網羅するのみならず、（窪み等を含めた）垂直方向の所定範囲も網羅するよう幅を傾斜面の特に下方の位置、窪みの底部やこぶの周縁位置、外周縁のくぼみ縁部の底部等を網羅できるよう、特に垂直方向のカメラアングルを慎重に調節する必要がある。次に、前記予想飛球軌跡範囲は、水平方向では、前記予想ショット地点範囲と予想グリーン面範囲とを結ぶ全ての軌跡の範囲となるが、飛球軌跡としては垂直方向の軌跡も考慮する必要があり、やはり、水平方向のみならず垂直方向の所定範囲も網羅するようカメラアングルを調節する必要がある。また、前記予想歩行軌跡範囲も、水平方向では、前記予想ショット地点範囲と予想グリーン面範囲とを結ぶ全ての軌跡の範囲となるが、歩行軌跡としてはコース上の起伏も考慮する必要があり、やはり、水平方向のみならず（飛行軌跡範囲の場合ほどではないが）ある程度は垂直方向の所定範囲も網羅するようカメラアングルを調節する必要がある。
【００１１】
このように、１台の監視カメラで上記第１の映像から第４の映像までを全て連続的に撮影する場合、最終ショット地点からグリーンのカップの位置まで（即ち、カップインの地点まで）の範囲について、第１の映像から第４の映像までの映像ごとに、水平方向及び垂直方向のアングルが異なることになる。これに加えて、コースごとに、最終ショット地点の地形や起伏や傾斜等の条件、及び、最終ショット地点からグリーンまでの地形や起伏や距離等の条件が大きく異なり、かつ、特にグリーンにおいては、起伏や傾斜等の条件に加えて、メイングリーンではなく予備グリーンを使用する場合があり、かつ、それらメイングリーン又は予備グリーンにおいてカップ（ピン）の位置がプレイの日によって異なる設定とされたりすることもある。したがって、経済上の理由等により、単一の監視カメラを使用し、かつ、（カメラアングルの自動制御等のコスト増の原因となる構成を避けるために）監視カメラのアングルを固定した撮影を行う場合、上記のとおりコースごと及びプレイごとに撮影条件が大きく異なる可能性があり、単数台の監視カメラのカメラアングルを固定して、上記第１〜第４の映像においてプレイヤー及びゴルフボールの軌跡を全て網羅するようなカメラアングルを得て、上記第１〜第４の映像を鮮明に撮影することは非常に困難であった。そして、本発明者らは、上記のように、単数台の監視カメラのカメラアングルを固定して、上記第１〜第４の映像においてプレイヤー及びゴルフボールの軌跡を全て網羅するようなカメラアングルを得て、上記第１〜第４の映像を鮮明に撮影することができる野外用監視カメラシステムについて鋭意研究開発を継続し、本発明にかかる野外用監視カメラシステムを完成した。
【００１２】
また、本発明者らは、この野外用監視カメラシステムが、上記のようなゴルフコース監視カメラシステムとして具現化する以外に、例えば、山林等における不法投棄を監視する場合にも適用可能であることを見出した。即ち、例えば、不法投棄の場所となる山林や河川岸等は、ゴルフコースと同様、複雑な地形や起伏を有し、かつ、その監視対象範囲は、近距離から遠距離までの範囲を有するフィールドとなるため、本発明者らは、そのようなフィールドについて鮮明に途切れることのない映像を記録するためには、本発明に係る野外用監視カメラシステムが好適であるとの認識を得ている。
【００１３】
そこで、本発明は、起伏地を含む野外のフィールドに設置されて当該フィールドにおける所定の監視対象（ゴルフコースにおけるホールインワンやチップインショット、又は、山林における不法投棄等）を監視することができる一方で、高価な監視カメラの台数を単数として監視カメラのコスト及びそれに付随するコストを削減することにより全体の製造コストを大幅に低減することができ、かつ、単数台の監視カメラによる固定アングルによっても、起伏地を含む所定の広域な視野範囲のフィールドの（水平方向及び垂直方向の）全体スペースについて、空間的に欠落することなく、かつ、時間的に途切れることのない鮮明な映像を撮影して記録することができる野外用監視カメラシステムの提供を課題とする。
【課題を解決するための手段】
【００１４】
請求項１に係る野外用監視カメラシステムは、起伏地を含む野外のフィールドに設置されて前記フィールドの所定の視野範囲を監視する野外用監視カメラシステムであって、台座ユニットと、収納箱と、支柱と、操作箱と、カメラ本体と、蓄電池とを備える。台座ユニットは、前記フィールドの所定の設置位置に載置して設置自在な複数個の固定ブロックと、前記各固定ブロックの中心から上方に垂直に突出する支持高さ調節軸と、前記支持高さ調節軸の所望高さ位置に固定自在な重量物支持部とを有する。収納箱は、所定の収納空間を有する収納部と、前記収納部に一体的に設けられ、前記台座ユニットの支持高さ挿通軸を挿通して、前記支持高さ挿通軸の所望高さ位置に固定した前記重量支持部により下方から支持される支持片とを有する。支柱は、前記収納箱に垂直に立設して固定される。操作箱は、前記支柱に固定され、撮影制御機能を有する操作盤と、前記操作盤の制御により映像データを記録する記録媒体を着脱自在な着脱部とを有する。カメラ本体は、前記支柱の上端部に固定され、前記操作盤により撮影制御されると共に、前記操作盤に撮影映像を出力する。蓄電池は、前記収納箱の収納空間に収納され、前記操作盤及び前記カメラ本体へ電力を供給する。
【００１５】
請求項２に係る野外用監視カメラシステムは、請求項１の構成において、前記台座ユニットが、前記固定ブロックを４個有して、設置面に対して４個の固定ブロックを前後左右のそれぞれの位置に配置するようにし、前記支持高さ調節軸として、前記固定ブロックの中心から上方に垂直に突出する所定高さ寸法のボルト軸を有し、前記重量物支持部として、前記ボルト軸に螺合された下側ナットを有し、更に、前記ボルト軸において前記下側ナットの上側に螺合された上側ナットを有する。
【００１６】
請求項３に係る野外用監視カメラシステムは、請求項２の構成において、前記台座ユニットが、傾斜した設置面に設置される場合、前記下側ナットの絶対的高さ位置が同一高さ位置となるよう、前記設置面の傾斜に応じて前記ボルト軸に対する前記下側ナットの螺合による固定位置を変更自在である。
【００１７】
請求項４に係る野外用監視カメラシステムは、請求項１から３のいずれかの構成において、前記支柱の高さ寸法が、前記フィールドの所定の視野範囲の全体及び前記視野範囲内における移動物を空間的及び時間的に途切れることなく連続して網羅的に撮影できる高さ寸法として、２．５〜４．０メートルの範囲内に設定されている。
【００１８】
請求項５に係る野外用監視カメラシステムは、請求項１から４のいずれかの構成において、前記台座ユニットが、前記支持高さ調節軸に対する前記重量物支持部の高さ位置を調節することで、前記カメラ本体の高さ位置を調節自在である。
【００１９】
請求項６に係る野外用監視カメラシステムは、請求項１から５のいずれかの構成において、前記監視カメラの画角が、前記フィールドの所定の視野範囲の全体及び前記視野範囲内における移動物を空間的及び時間的に途切れることなく連続して網羅的に撮影できる画角として、水平方向で８５度〜１２０度の範囲内の画角に設定されている。
【発明の効果】
【００２０】
本発明に係る野外用監視カメラシステムは、上記のように構成したため、典型例としてゴルフコース監視カメラシステムに具現化した場合、起伏地を含む野外のフィールドに設置されて当該フィールドにおける所定の監視対象（ゴルフコースにおけるホールインワンやチップインショット、又は、山林における不法投棄等）を監視することができる一方で、高価な監視カメラの台数を単数として監視カメラのコスト及びそれに付随するコストを削減することにより全体の製造コストを大幅に低減することができ、かつ、単数台の監視カメラによる固定アングルによっても、起伏地を含む所定の広域な視野範囲のフィールドの（水平方向及び垂直方向の）全体スペースについて、空間的に欠落することなく、かつ、時間的に途切れることのない鮮明な映像を撮影して記録することができることができるという特有の効果を発揮する。
【図面の簡単な説明】
【００２１】
【図１】図１は本発明の一実施の形態に係る野外用監視カメラシステムの全体構成を示す正面図であって、一点鎖線で示す円形内及び二点鎖線で示す円形内にそれぞれ要部を拡大して示す。
【図２】図２は本発明の一実施の形態に係る野外用監視カメラシステムの全体構成を示す背面図であって、一点鎖線で示す円形内にそれぞれ要部を拡大して示す。
【図３】図３は本発明の一実施の形態に係る野外用監視カメラシステムの全体構成を示す左側面図であって、一点鎖線で示す円形内及び二点鎖線で示す円形内にそれぞれ要部を拡大して示す。
【図４】図４は本発明の一実施の形態に係る野外用監視カメラシステムのカメラユニット及びシェード部分を示す拡大左側面図であって、一点鎖線で示す円形内内に要部を拡大して示すものであり、（ａ）はシェードの上下方向への角度調整を示し、（ｂ）はカメラ本体の上下方向への角度調整を示す。
【図５】図５は本発明の一実施の形態に係る野外用監視カメラシステムの全体構成を示す右側面図であって、一点鎖線で示す円形内にそれぞれ要部を拡大して示す。
【図６】図６は本発明の一実施の形態に係る野外用監視カメラシステムの全体構成を示す平面図であり、（ａ）は収納箱の収納扉を閉じた状態を示し、（ｂ）は収納箱の収納扉を全開した状態を示す。
【図７】図７は本発明の一実施の形態に係る野外用監視カメラシステムを底面側から示し、（ａ）は全体の底面図であり、（ｂ）は台座ブロックを仮想線で示して収納箱の底面の構成を示す説明図である。
【図８】図８は図６は本発明の一実施の形態に係る野外用監視カメラシステムの全体構成を正面側から見て示す斜視図である。
【図９】図９は本発明の一実施の形態に係る野外用監視カメラシステムの台座ユニットを示す斜視図である。
【図１０】図１０は本発明の一実施の形態に係る野外用監視カメラシステムの台座ユニットへのカメラ側本体部品の組み付け作業を説明する（即ち、予め収納箱に支柱を一体化した状態で組み付ける場合の作業を説明する）ための要部斜視図である。
【図１１】図１１は本発明の一実施の形態に係る野外用監視カメラシステムの台座ユニットへのカメラ側本体部品の組み付け作業の別例を説明する（即ち、予め収納箱に支柱を一体化していない状態で組み付ける場合の作業を説明する）ための要部斜視図である。
【図１２】図１２は本発明の一実施の形態に係る野外用監視カメラシステムの台座ユニットへのカメラ側本体部品の組み付け作業の別例において、収納箱に組み付けた収納箱に支柱を組み付ける作業を説明するための要部斜視図である。
【図１３】図１３は本発明の一実施の形態に係る野外用監視カメラシステムを複雑な傾斜構造を有する設置面に設置する場合を説明するための要部斜視図である。
【図１４】図１４は本発明の一実施の形態に係る野外用監視カメラシステムを傾斜構造を有する設置面に設置する場合を説明するための要部左側面図である。
【図１５】図１５は本発明の一実施の形態に係る野外用監視カメラシステムをゴルフ場監視カメラシステムに具現化してゴルフコース（ショートコース）に設置する場合の水平方向における設置態様及び撮像範囲を示す説明図である。
【図１６】図１６は本発明の一実施の形態に係る野外用監視カメラシステムをゴルフ場監視カメラシステムに具現化してゴルフコース（ショートコース）に設置する場合の垂直方向における設置態様及び撮像範囲を示す説明図である。
【図１７】図１７は本発明の一実施の形態に係る野外用監視カメラシステムをゴルフ場監視カメラシステムに具現化してゴルフコース（ミドルコースやロングコース）に設置する場合の水平方向における設置態様及び撮像範囲を示す説明図である。
【発明を実施するための形態】
【００２２】
以下、本発明を実施するための形態（以下、実施の形態という）を説明する。なお、各実施の形態を通じ、同一の部材、要素または部分には同一の符号を付して、その説明を省略する。
【００２３】
実施の形態
［全体構成］
図１に示すように、本発明に係る野外用監視カメラシステムＭＣは、台座ユニット１０、収納箱２０、支柱３０、操作箱４０、カメラユニット５０、及びシェード（日除け）６０を備えている。詳細には、台座ユニット１０は、ゴルフコースや山林等の所定のフィールドの所定の設置位置に据え付けて固定的に設置されるものであり、必要に応じて、異なる設置位置に設置自在な構成となっている。また、収納箱２０は、台座ユニット１０に載置して固定自在であり、（図６に示すように）内部に蓄電池（バッテリー）７０を収容自在である。なお、収納箱２０及び蓄電池７０は、給電ユニットを構成する。また、支柱３０は、収納箱２０の前面に着脱自在に固定することで（台座ユニット１０に対して）垂直に立設自在であり、所定の高さ寸法を有している。また、操作箱４０は、支柱３０の高さ方向中央の所定高さ位置Ｈ２に固定自在である。また、カメラユニット５０は、支柱２０の上端近傍の所定高さ位置Ｈ１に固定自在であり、かつ、上下方向及び左右方向へ角度調節自在である。また、シェード６０は、支柱３０の上端に固定自在であり、かつ、上下方向へ角度調節自在である。以下、上記各構成要素の詳細について詳述する。
【００２４】
［台座ユニット］
図５〜図７及び図９に示すように、台座ユニット１０は、４個の同一構成の固定ブロック１１を備えている。各固定ブロック１１は、矩形薄板状（図示の例では正方形薄板状）をなす重量物であり、同一体積で相対的に高重量を得られるよう、コンクリート（ＲＣを含む）からなるコンクリートブロック等の高重量材料により形成されている。また、各固定ブロック１１の上面の中央位置からは、支持高さ調節軸としてのボルト軸１２が垂直に突出するよう立設して固定されている。ボルト軸１２は、基端部を固定ブロック１１の内部に埋設固定し、固定ブロック１１の上面から所定高さの突出寸法だけ上方に突出している。また、ボルト軸４１は、突出部分の全長にわたって外周面に雄螺子を螺刻形成している。更に、各ボルト軸４１には、上下で対をなす下側ナット１３及び上側ナット１４ら螺合して装着されている。下側ナット１３は、ボルト軸１２への螺合状態で正方向又は逆方向に回転することにより、（支持高さ調節軸としての）ボルト軸１２を軸方向（上下方向）に往復移動自在であり、ボルト軸１２上における高さ位置（上下方向位置）を調節自在である。また、下側ナット１３は、ボルト軸１２に螺合した状態で、蓄電池７０を収容した収納箱２０の重量を下方から支持するようになっており、（重量物を支持するという意味で）重量物支持部を構成している。また、上側ナット１４は、ボルト軸１２への螺合状態で正方向又は逆方向に回転することにより、ボルト軸１２を軸方向に往復移動自在であり、ボルト軸１２上における高さ位置を調節自在である。また、上側ナット１４は、ボルト軸１２上において下側ナット１３との間で収納箱２０の前面側の板状又はフランジ状の突出部（後述する支持片２２）を挟持し、収納箱２０が（上方に）ぐらついたりしないように上方から支持固定するようになっており、（重量物を所定高さ位置に固定するという意味で）重量物固定部を構成している。
【００２５】
［給電ユニット］
図５〜図８に示すように、給電ユニットを構成する収納箱２０は、所定の左右寸法、前後寸法及び高さ寸法を有する直方体箱状の収納部２１を備えている。収納部２１の前側面の下端及び後側面の下端には、それぞれ、支持片２２が一体的に固着されている。前側の支持片２２及び後側の支持片２２は（収容部２２への取付位置が前側であるか後側であるかを除き）同一構成であり、収納部２１の左右方向寸法と同一長さで所定幅の帯板状をなしている。そして、前側の支持片２２は、収納部２１の前側面の下端から前方に所定幅で突出すると共に、後側の支持片２２は、収納部２１の後側面の下端から後方に所定幅で突出している。更に、支持片２２の長さ方向両端部（左右両端部）には、それぞれ、円形の螺子挿通孔が貫通形成されている。なお、この螺子挿通孔は、図示はしないが、図６中において台座ユニット１０のボルト軸１２及び上側ナット１４と同一位置に配置されており、ボルト軸１２の直径より若干大径かつ下側ナット１３及び上側ナット１４の外径よりも小径の円形の貫通孔に形成されて、ボルト軸１２を挿通自在となっている。なお、前側の支持片２２の長さ方向中央部であって前記左右一対の螺子挿通孔の間の部分に、後述する支柱３０の垂立部３１の下端が当接して支持されるようになっている。
【００２６】
収納部２１の後側面の上端部の左右両側部には、それぞれ、蝶番２３が固着されると共に、収納部２１の上端の開口には、左右一対の蝶番２３を介して収納扉２４が取り付けられている。収納扉２４は、蝶番２３を介して収納部２１の上端の開口全面を開閉自在であるが、蝶番２３が、（前記支柱３０の下端部を当接支持する）前側の支持片２２と前後方向の反対側（即ち、後側）に設けられているため、収納扉２４は、前方から後方に向かって（即ち、支柱３０から離れる方向に）自由に開放自在であり、図６（ｂ）に示すように、収納部２１の上端開口と平行となるまで後方に全開することができる。（蝶番２３が収納部２１の前側に配設される場合は、支柱３０が邪魔になって蓋２１を全開することができない。）また、収納部２１の前側面の上端部の左右両側部には、それぞれ、（パチン錠からなる）ロック部材２５の鉤部が固着されると共に、当該鉤部の位置と対応する収納扉２４の前側面の上端部の左右両側部の位置には、それぞれ、ロック部材２５の（鉤部を掛止する）掛止部が固着され、ロック部材２５を介して、収納扉２４を収納部２１に対して閉塞状態に固定することができる。
【００２７】
一方、収納箱２０の収納部２１の上端開口には、その左右方向中央位置で前後方向に延びるよう細帯状の補強片２６が固着されている。補強片２６は、収納部２１の上端開口を左右に二分して区画しており、この左右の半開口から、それぞれ、前記２個の蓄電池７０を収納部２１の内部空間に収容して配置するようになっている。ここで、蓄電池７０は、防水加工を施した防水型のものであり、図６（ｂ）に示すように、電池部７１と、帯状の把持部７２とからなる。把持部７２は、電池部７１の左右両側に両端を固着された取手状をなしており、把持部７２を作業者が手で把持することにより、蓄電池７０を収納部２１内に容易に出し入れすることができるようになっている。更に、図７に示すように、収納部２１の底壁の四隅部（コーナー部）には、それぞれ、水抜孔２７が貫通形成されており、水抜孔２７を介して収納部２１の内部に進入した雨水等の水分を滴下して外部に排出するようになっている。加えて、収納部２１の内部空間には、当該内部空間に配設される蓄電池７０と干渉しないよう、第１の電源線が外部から引き込んで収容配置されると共に、収納部２１に収容配置した電池部７１の端子に第２の電源線の一端が電気的に接続されるようになっている。なお、第１及び第２の電源線は、２個の蓄電池７０用にそれぞれ配設されている。そして、第１の電源線の先端のコネクタを第２の電源線の先端のコネクタに接続することで、電池部７１の電力を第１及び第２の電源線を介して外部に供給するようになっている。なお、収納箱２０の収納部２１や収納扉２４等は、（鍍金等の）耐食加工を施された（鋼板等の）金属材料から形成されるが、その他、ステンレス鋼板等の耐食金属材料から形成することもできる。
【００２８】
［支柱］
図１に示すように、支柱３０は、（鍍金等の）耐食加工を施した（鉄製等の）金属製のパイプ材からなり、左右一対の垂立部３１、下側の下部連結部３２、上側の下部連結部３３、下側の中央部連結部３４、上側の中央部連結部３５及び上部連結部３６から、所定の支柱形状となるよう一体形成されたものである。左右一対の垂立部３１は、それぞれ、円柱状の所定直径のパイプ材からなり、同パイプ材の高さ方向中央部を内側に湾曲又は屈曲させたものであり、左右一対の垂立部３１が、高さ方向下側部及び高さ方向上側部において同一幅で互いに平行に延びると共に、高さ方向中央部で幅狭となる独特の柱形状を形成するようになっている。下側の下部連結部３２及び上側の下部連結部３３は、それぞれ、左右一対の垂立部３１の高さ方向下側部（下側の幅広部）の上半部の下端付近及び上端付近を連結するものであり、当該下端付近及び上端付近の位置における左右一対の垂立部３１間の（幅広の）間隔と同一長さの短円筒状をなし、その両端が左右一対の垂立部３１の高さ方向下側部に溶接等により固着されている。なお、垂立部３１における下側の下部連結部３２の高さ位置は、支柱３０の高さ方向下側部の下半部を収納箱２０に立設状態で固着したときに、収納箱２０の上端よりも上方となる位置に設定されている。また、下側の中央部連結部３４及び上側の中央部連結部３５は、それぞれ、左右一対の垂立部３１の高さ方向中央部（幅狭部）の高さ方向中央部分を連結するものであり、当該高さ方向中央部分お下端付近及び上端付近の位置における左右一対の垂立部３１間の（幅狭の）間隔と同一長さの短円筒状をなし、その両端が左右一対の垂立部３１の高さ方向中央部に溶接等により固着されている。なお、垂立部３１における上下一対の中央部連結部３４及び中央部連結部３５間の間隔は、前記操作箱４０の高さ方向寸法よりも若干大きな間隔に設定され、上下一対の中央部連結部３４及び中央部連結部３５間で左右一対の垂立部３１に操作箱４０を固着したときに、操作箱４０の上端及び下端と上側の中央部連結部３５及び下側の中央部連結部３４との間に、それぞれ、所定の隙間が形成されるようになっている。
【００２９】
上部連結部３５は、左右一対の垂立部３１の高さ方向上側部（上側の幅広部）の高さ方向中央付近を連結するものであり、当該高さ方向中央付近の位置における左右一対の垂立部３１間の（幅広の）間隔と同一長さの短円筒状をなし、その両端が左右一対の垂立部３１の高さ方向上側部に溶接等により固着されている。この上部連結部３５の上縁部には、カメラユニット５０が固着されるため、垂立部３１における上部連結部３５の高さ位置は、上部連結部３５に固定したカメラユニット５０のレンズ中心の高さ位置が所定の高さ位置Ｈ１となるよう、カメラユニット５０の下端からレンズ中心までの高さ寸法分だけ前記所定の高さ位置Ｈ１から低くなるよう設定されている。一方、図１に示すように、支柱３０は、左右一対の垂立部３１の高さ方向下側部の下半部を、それぞれ、収納箱２０の収納部２１の前側面の左右中央部と左右両側部との境界付近の位置に固定されるようになっている。具体的には、支柱３０は、垂立部３１の固定部分（高さ方向下側部の下半部）の上下両端付近を、それぞれ、（貫通ボルトからなる）固定螺子３７により収納部２１の前側面に螺着して固定されるようになっている。具体的には、図１１及び図１２に示すように、収納箱２０の収納部２１の前壁における上縁部及び下縁部において中央から所定距離（両垂立部３１の配置間隔と同一間隔）だけ左右に離間した位置には、それぞれ、（左側に上下２個、右側に上下２個の、合計４個の）ボルト孔２１ａが貫通形成されている。そして、支柱３０を収納箱２０の収納部２１の前面に対して、垂立部３１が収納箱２１のボルト孔２１ａに対向するように位置決めして、垂立部３１から収納箱２１のボルト孔２１ａに固定螺子３７を挿通し、固定螺子３７の先端部を収納箱２１の内部に突出させて、その突出端部にナット（図示略）を螺合することにより、支柱３０を収納箱２０に固定することができる。なお、支柱３０は、固定螺子３７を取り外すことにより、収納箱２０から分離することができ、固定螺子３７を介して収納箱２０に着脱自在となっている。
【００３０】
［操作箱］
図３に示すように、操作箱４０は、支柱３０の背面（後面）の所定高さ位置Ｈ２に固定されるものであり、図２に示すように、固定板４１、固定螺子４２、収納部４３、操作扉４４、鍵部４５、操作盤４６、液晶モニター４７、ＳＤカード挿入口４８及び状態ランプ４９を備えている。固定板４１は、上下方向に延びる長方形板状をなし、支柱３０の垂立部３１の背面において前記上下一対の中央部連結部３４及び中央部連結部３５間に配置されると共に、固定螺子４２を固定板４１の四隅部（コーナー部）の挿通孔（図示略）に挿通して垂立部３１に螺入することにより、固定板４１を垂立部３１に固定するようになっている。このとき、固定板４１の上端及び下端と上側の中央部連結部３５及び下側の中央部連結部３４との間には、それぞれ、所定の隙間が形成されている。また、収納部４３は、上下方向に延びる（固定板４１よりも若干小さい高さ寸法及び幅寸法の）直方体箱状をなし、固定板４１の後面に（螺子止め等により）固定されている。収納部４３の後面は開口となっており、収納部４３の開口部分には前記操作扉４４が開閉自在となるよう取り付けられている。操作扉４４の幅方向一端縁部（軸着部と反対側の縁部）の高さ方向中央位置には、前記鍵部４５が配設され、操作扉４４により収納部４３の開口を閉塞した状態で、鍵部４５をロック状態とすることにより、操作扉４４を閉塞状態にロック（施錠）するようになっている。
【００３１】
操作盤４６は、収納部４３の内部空間に収容して配設され、その奥側（収納部４３の内部側）に制御回路等の電気・電子回路部品（図示略）を収容配置している。また、操作盤４６は、その表面の所定部位に、前記液晶モニター４７、ＳＤカード挿入口４８及び状態ランプ４９を配設している。ここで、操作盤４６には、前記収納箱２０内の蓄電池７０からの直流電力が供給されるようになっている。即ち、蓄電池７０に接続した電源線は、収納箱２０の前側壁において支柱３０の垂立部３１と対向する部位を貫通する貫通孔（図示略）に挿通されて外部に引き出されると共に、垂立部３１において前記貫通孔と対向する部位に形成された挿通孔に挿通されて垂立部３１の内部空間に引き込まれ、垂立部３１の内部空間を上方に延設される。そして、電源線の先端部は、操作箱４０の固定板４１と対向する垂立部３１の部位に形成された挿通孔に挿通されると共に、固定板４１及び収納部４３において前記挿通孔と対向する部位に形成された貫通孔から収納部４３の内部に引き込まれ、操作盤４６に電気的に接続されて操作盤に直流電力を給電するようになっている。更に、操作盤４６は、カメラユニット５０のカメラ本体５７に接続されてカメラ本体５７からの映像を入力するようになっている。
【００３２】
図２に示すように、操作盤４６は、制御回路に入力されたカメラ本体５７からの映像を液晶モニター４７にリアルタイムで表示することで、後述するように、所望の場所への設置時に、設置者がカメラ本体５７が実際に撮影している映像を確認し、カメラ本体５７の撮影方向及びアングルを、液晶モニター４７の表示映像を見ながら調整できるようにしている（即ち、設置時のアングル決定用のモニター機能を有している）。また、操作盤４６は、（カメラアングルを決定した後の本動作としての）カメラ本体５７の映像の録画動作中には、その上縁部の録画状態表示部４７ａに録画状態（録画中であるか否か）を表示する（録画中の場合は図示の例では「ＲＥＣ」を表示する）と共に、中央部の映像表示部４７ｂに録画中の映像をリアルタイムで表示し、かつ、下縁部の日時表示部４７ｃに撮影時点の現在日時をリアルタイムで表示するようになっている。ＳＤカード挿入口４８は、記録媒体としてのＳＤカードを挿入自在であり、操作盤４６は、ＳＤカード挿入口４８に挿入したＳＤカードを認識して、カメラ本体５７からの映像をＳＤカードに記録するようになっている。状態ランプ４９は、電源ランプ（青色）、運転ランプ（緑色）、録画ランプ（赤色）、ＧＰＳランプ（橙色）からなる。操作盤４６は、電源ランプ（図２中、上から１番目のランプ）により、給電ユニットの蓄電池７０からの電力供給があるか否か、即ち、電源のオン又はオフを表示する（オン時には点灯、オフ時には消灯）すると共に、蓄電池２０の電圧低下を（点滅により）表示することにより、蓄電池２０が操作盤４６に正しく接続されているかどうか、及び、蓄電池７１の交換の要否を確認できるようにしている。
【００３３】
また、操作盤４６は、運転ランプ（図２中、上から２番目のランプ）により、カメラ本体５７が運転状態にあるか否かを表示（運転中は点灯、停止中は消灯）するようになっている。更に、操作盤４６は、録画ランプ（図２中、上から３番目のランプ）により、カメラ本体５７からの映像がＳＤカードに録画されているか否かを表示（録画中は点灯、録画していないときは消灯）するようになっている。ここで、操作盤４６は、制御機能によるタイマー設定により、所定のオン時刻（最初のゴルフプレーが開始する時刻よりもある程度前の時刻であって、例えば、午前７時）にカメラ本体５７を動作開始すると共にカメラ本体５７からの映像をＳＤカードに記録開始し、かつ、所定のオフ時刻（最後のゴルフプレーが終了するよりある程度後の時刻であって、例えば、午後８時）にカメラを動作停止すると共にＳＤカードへの記録を停止するよう制御を実行する。また、操作盤４６は、カメラの動作開示時には、運転ランプにより当該カメラが初期設定動作にある間は点滅により当該初期設定動作中である旨を表示すると共に、ＳＣカードのＳＤカード挿入口４８への挿入時には、録画ランプにより録画開始動作中であることを（点滅により）表示するようになっている。更に、操作盤４６は、ＧＰＳ装置を内蔵し、ＧＰＳ機能により現在日時を取得するようになっており、ＧＰＳランプ（図２中、上から４番目のランプ）により、ＧＰＳによる測位後に日時取得が開始されたか否かを表示（開始後は点灯、測位不能による日時取得不可のときは消灯）するようになっている。なお、操作盤４６は、ＧＰＳ機能による測位中はＧＰＳランプを点滅する。また、操作盤４６は、ＧＰＳ機能による測位が一定時間（例えば、１時間）経過後もできないときは、本野外用監視カメラシステムＭＣを再起動する。
【００３４】
［カメラユニット］
図１及び図３に示すように、カメラユニット５０は、下部支持片５１、上部支持片５２、上下角度調整用の回動軸５３及び固定螺子５４、左右角度調整用の回動軸５５及び固定螺子５６、カメラ本体５７、コード端部カバー５８及び入出力コード５９からなる。下部支持片５１は、支柱３０の上部連結部３５の長さよりも小さい幅のチャンネル板状（断面コ字板状）をなし、その両側壁を前後方向に配向させた状態でその底壁を上部連結部に固着している。上部支持片５２は、下部支持片５１よりも若干幅広の（下部支持片５１に対応する形状の）チャンネル板状（断面コ字板状）をなし、その両側壁の内側面を下部支持片５１の両側壁の外側面に密接させた状態で、下部支持片５１に上方から嵌合されている。図３に示すように、回動軸５３は、上部支持片５２に固定されるカメラ本体５７の上下角度調整用の部材であり、その軸部が上部支持片５２及び下部支持片５１の一方（図示の例では左側）の側壁の中央位置を貫通すると共に、その頭部が上部支持片５２の側壁の外側面に当接し、かつ、その軸部先端部に螺合したナット（図示略）が下部支持片５１の側壁の内側面に当接して、それら頭部及びナット間で上部支持片５２及び下部支持片５１の側壁の中央位置を挟持している。なお、図示はしないが、上部支持片５２及び下部支持片５１の他方（図示の例では右側）の側壁の中央位置にも、同様の回動軸５３が配設されている。これにより、左右一対の回動軸５３を中心として、上部支持片５２が下部支持片５１に対して上下方向に傾動自在となる。また、上部支持片５２の前記一方の側壁における前記回動軸５３よりも後側の部位には、上下方向に湾曲して延びる角度調整溝５２ａが貫通形成されている。また、固定螺子５４は、上部支持片５２に固定されるカメラ本体５７の上下角度調整用の部材であり、その軸部が上部支持片５２の角度調整溝５２ａに挿通された後、対応する下部支持片５１の側壁部分を貫通すると共に、その頭部が上部支持片５２の側壁の外側面に当接し、かつ、その軸部先端部に螺合したナット（図示略）が下部支持片５１の内側面に当接して、それら頭部及びナット間で上部支持片５２及び下部支持片５１の側壁の後部側の位置を挟持自在である。これにより、図４（ｂ）に示すように、上部支持片５２の角度調整溝５２ａに対する固定螺子５４の位置を上下方向に変更して固定螺子５４を（ナットに対して）締め付けることにより、下部支持片５１に対する上部支持片５２の上下方向の傾動角度を調整することができ、これにより、上部支持片５２に取り付けたカメラ本体５７の上下方向の角度を調整することができる。
【００３５】
上部支持片５２の頂壁（上壁）には、カメラ本体５７が、そのレンズ５７ａを前方に向けた状態で、前記回動軸５５及び固定螺子５６により左右方向への角度調節自在に固定されている。なお、レンズ５７ａにはレンズカバー（図示略）が装着されている。詳細には、図１に示すように、回動軸５５は、上部支持片５２に固定されるカメラ本体５７の左右角度調整用の部材であり、その軸部が上部支持片５２の頂壁及びカメラ本体５７の底壁の中央位置を貫通すると共に、その頭部が上部支持片５２の頂壁の外側面（下側面）に当接し、かつ、その軸部先端部に螺合したナット（図示略）がカメラ本体５７の底壁の内側面（上側面）に当接して、それら頭部及びナット間で上部支持片５２の側壁及びカメラ本体５７の底壁の中央位置を挟持している。これにより、回動軸５５を介して、カメラ本体５７が上部支持片５２に対して左右方向に回動自在となるようにしている。また、上部支持片５２の頂壁における前記回動軸５５よりも後側の部位には、左右方向に湾曲して延びる角度調整溝５２ｂが貫通形成されている。固定螺子５６は、その軸部が上部支持片５２の角度調整溝５２ｂに挿通された後、対応するカメラ本体５７の底壁部分を貫通すると共に、その頭部が上部支持片５２の頂壁の外側面に当接し、かつ、その軸部先端部に螺合したナット（図示略）がカメラ本体５７の底壁の内側面に当接して、それら頭部及びナット間で上部支持片５２の頂壁及びカメラ本体５７の底壁の後部側の位置を挟持自在である。これにより、図６（ａ）に示すように、上部支持片５２の角度調整溝５２ｂに対する固定螺子５６の位置を左右方向に変更して固定螺子５６を（ナットに対して）締め付けることにより、上部支持片５２に対するカメラ本体５７の左右方向の回動角度を調整することができ、これにより、上部支持片５２に取り付けたカメラ本体５７の左右方向の角度を調整することができる。このように、カメラ本体５７は、上部支持片５２に対して上下の傾動角度を調整自在、かつ、左右の回動角度を調整自在に取り付けられている。また、カメラ本体５７は、コード端部カバー５８を介して入出力コード５９を外部に導出している。入出力コード５９は、操作盤４６を介して蓄電池７０からの電力をカメラ本体５７に入力する（供給する）と共に、制御盤４６からの指令信号をカメラ本体５７に入力し、かつ、カメラ本体５７からの映像信号を操作盤４６に出力するものである。入出力コード５９は、支柱３０の一方の垂立部３１（図示の例では左側の垂立部３１）の上端開口から内部に挿入され、制御箱４０まで延設され、制御箱４０の内部に導入されて制御盤４６に電気的に接続されている。
【００３６】
［シェード］
図１、図２、図４及び図６に示すように、シェード６０は、シェード本体６１、左右一対の下部支持片６２、上部支持片６３、上下角度調整用の回動軸６４及び固定螺子６５を備えている。左右一対の下部支持片６２は、それぞれ、支柱３０の垂立部３１の直径と同等の幅の長方形板状をなし、垂立部３１の上端に上下方向に（垂立状態で）延びるよう固着されている。なお、両下部支持片６２は、互いに平行な状態で前後方向に配向した状態で、その下端が垂立部３１の上端に固着されている。上部支持片６３は、左右一対の下部支持片６２の内側面間の距離と同一幅のチャンネル板状（断面コ字板状）をなし、その両側壁の外側面を両下部支持片６２の内側面に密接させた状態で、下部支持片６２に上方から嵌合されている。上部支持片６３の頂壁（上壁）には、シェード本体６１が、前後方向に配向された状態で、溶接等により固定されている。図４に示すように、回動軸６４は、上部支持片６３に固定されるシェード本体６１の上下角度調整用の部材であり、その軸部が一方（図示の例では左側）の下部支持片６２及び上部支持片６３の側壁の中央位置を貫通すると共に、その頭部が下部支持片６３の外側面に当接し、かつ、その軸部先端部に螺合したナット（図示略）が上部支持片６２の側壁の内側面に当接して、それら頭部及びナット間で下部支持片６２及び上部支持片６３の側壁の中央位置を挟持している。なお、図示はしないが、他方（図示の例では右側）の下部支持片６２及び上部支持片６３の側壁の中央位置にも、同様の回動軸６４が配設されている。これにより、左右一対の回動軸６４を中心として、上部支持片６３が下部支持片５１に対して上下方向に傾動自在となる。また、前記一方の下部支持片６２における前記回動軸６４よりも上側の部位には、前後方向に扇状に配列されるよう複数個（図示の例では３個）の円形の角度調整孔６２ａが貫通形成されている。また、固定螺子６５は、上部支持片６３に固定されるシェード本体６１の上下角度調整用の部材であり、その軸部が下部支持片６２のいずれかの角度位置の角度調整孔６２ａに挿通された後、対応する上部支持片６３の側壁部分を貫通すると共に、その頭部が下部支持片６２の外側面に当接し、かつ、その軸部先端部に螺合したナット（図示略）が上部支持片６３の側壁の内側面に当接して、それら頭部及びナット間で下部支持片６２及び上部支持片６３の側壁の上部側の位置を挟持自在である。これにより、図４（ａ）に示すように、下部支持片６２の複数個の角度調整孔６２ａのいずれかを選択して固定螺子６５を挿通し、固定螺子６５を（ナットに対して）締め付けることにより、下部支持片６２に対する上部支持片６３の上下方向の傾動角度を調整することができ、これにより、上部支持片６３に取り付けたシェード本体６１の上下方向の角度を調整することができる。即ち、シェード本体６１はある程度の重量があり、カメラ本体５７の上下角度調整の場合のような角度調整溝では、シェード本体６１が位置ずれする可能性があるため、角度調整孔６２ａによる角度調整とすることが好ましい。
【００３７】
［設置方法］
上記のように構成した本実施の形態の野外用監視カメラシステムを野外の所定フィールドの所望の設置場所に設置する場合、まず、図９に示すように、台座ユニット１０の４個の固定ブロック１１を、設置場所の設置面に載置する。このとき、固定ブロック１１から上方に垂立する４本のボルト軸１２が、収納箱２０の前側の支持片２２の左右一対の螺子挿通孔及び前側の支持片２２の左右一対の螺子挿通孔の合計４個の螺子挿通孔と整合する位置に来るよう、４個の固定ブロック１１をそれぞれ設置面上で前後左右に（即ち、水平方向に）位置決めする。なお、このとき、４個の固定ブロック１１がそれぞれ正方形薄板状をなすため、また、４個の固定ブロック１１を所定の隙間間隔を置いて、かつ、側縁が互いに平行となるように隣接配置したときに、それらの４本のボルト軸１２がそれぞれ収納箱２０の４個の螺子挿通孔と対応する位置にくるよう、固定ブロック１１の平面方向の寸法（１辺の長さ）が設定されているため、例えば、固定ブロック１１間の隙間間隔を前記所定寸法となるよう調節して４個の固定ブロック１１を隣接配置することにより、或いは、隣接する４本のボルト軸１２間の間隔を収納箱２０の４個の螺子挿通孔の間隔と同一間隔に調節することにより、固定ブロック１１のボルト軸１２を、収納箱２０の螺子挿通孔と整合する位置に容易に位置決めすることができる。
【００３８】
＜組み付け例１＞
このようにして台座ユニット１０の設置が完了したら、図１０に示すように、台座ユニット１０に監視カメラシステム本体（即ち、収納箱２０、支柱３０、操作箱４０、カメラユニット５０及びシェード６０からなる一体構造物）を立設状態となるよう組み付けて固定する。詳細には、まず、支柱３０に対して、操作箱４０、カメラ本体５０及びシェード６０を予め組み付けて一体化構造物（以下、「支柱側構造物」という。）を形成しておく。次に、この支柱側構造物を収納箱２０に垂立状態で組み付けて固定する。即ち、支柱側構造物の支柱３０の一対の垂立部３１を、固定螺子３７により収納箱２０の収納部２１に垂立状態で締結固定することにより、前記監視カメラシステム本体を構成する。そして、この監視カメラシステム本体を、設置面の台座ユニット１０の上方から台座ユニットに据え付けて固定する。即ち、このとき、まず、台座ユニット１０の４本のボルト軸１２からそれぞれ上側ナット１４を取り外しておくと共に、４個の下側ナット１４の上面が同一の水平面内にくるよう（即ち、設置面の傾斜にかかわらず、同一の絶対的高さ位置にくるよう）下側ナット１４をボルト軸１２上で螺入又は螺退して位置決めしておく。そして、監視カメラシステム本体を台座ユニット１０の上方から接近させ、その収納箱２０の支持片２２の螺子挿通孔に固定ブロック１１のボルト軸１２をそれぞれ挿通し、収納箱２０を徐々に下降させていく。すると、収納箱２０の支持片２２の下面がボルト軸１２上の下側ナット１３の上面に当接したときに、収納箱２０がそれ以上の下降を阻止されて固定ブロック１１上の所定高さ位置に水平に保持される。これにより、収納箱２０に対して垂立状態で固定されている支柱３０が、固定ブロック１１に対して垂立状態に保持されることになる。その後、収納箱２０の支持片２２から上方に突出する４本のボルト軸１２にそれぞれ上側ナットを螺入して、下側ナット１３と上側ナット１４との間で支持片２２を締結固定する。これにより、収納箱２０が所定高さ位置に前後左右への移動不能に固定されると共に、支柱３０が垂立状態のまま前後左右への移動不能に固定されて、図１０中に仮想線で示すように、監視カメラシステム本体の台座ユニット１０への組み付けが完了する。
【００３９】
＜組み付け例２＞
なお、図１１及び図１２に示すようにして監視カメラシステム本体を台座ユニット１０に組み付けることもできる。この場合、まず、図１１に示すように、支柱側構造物を組み付けていない単体の収納箱２０を、上記と同様にして、台座ユニット１０に組み付けて固定する。その後、図１２中に仮想線で示すように、支柱側構造物を、上記と同様にして、収納箱２０に組み付けて固定する。これにより、監視カメラシステム本体の台座ユニット１０への組み付けが完了する。この組み付け例２の場合、収納箱２０と支柱側構造物とを別体として保管し、設置場所まで運搬することができるため、特に運搬作業を軽減することができるという利点がある。一方、上記組み付け例１の場合、予め支柱側構造物を収納箱２０に組み付けているため、設置場所での台座ユニット１０への組み付け作業を迅速に行うことができるという利点がある。
【００４０】
＜傾斜面への設置方法＞
図１３及び図１４を参照して、設置面が傾斜面である場合の設置方法について更に詳細に説明する。まず、図１３に示すように、設置場所が傾斜面Ｓであり、傾斜面Ｓのうち台座ユニット１０が設置される面積範囲の設置面には、上側部（上側右部及び上側左部）に緩い傾斜の緩傾斜面Ｓ１があり、下側右部に急な傾斜の急傾斜面Ｓ２があり、下側左部に中程度の傾斜の中傾斜面Ｓ３があるとする。この場合において、４個の固定ブロックの設置位置が、第１の固定ブロック１１については上側右部の緩傾斜面Ｓ１になり、第２の固定ブロック１１については上側左部の緩傾斜面Ｓ１になり、第３の固定ブロック１１については下側右部の急傾斜面Ｓ２になり、第４の固定ブロック１１については下側左部の中傾斜面Ｓ３になるとする。この場合、４個の固定ブロック１１は、それぞれ、設置部位に応じて異なる高さ位置に配置されることになり、固定ブロック１１から垂直に突出する４本のボルト軸１２の高さ位置は、設置面の設置部位（緩傾斜面Ｓ１、急傾斜面Ｓ２、中傾斜面Ｓ３）によって大きく異なることになる。しかし、この場合でも、４本のボルト軸１２上の下側ナット１３の高さ位置を同一の絶対的高さ位置（即ち、固定ブロック１１からの相対的高さ位置ではなく、基準面となる水平面からの高さ位置である絶対的高さ位置）となるように調節することで、４個の下側ナット１３の上面が同一水平面内に配置される。これにより、台座ユニット１０の下側ナット１３上に収納箱２０を固定すると、収納箱２０が自動的に水平状態となるよう固定される。また、これにより、収納箱２０に対して垂直状態で固定される支柱３０が、（台座ユニット１０の設置面が傾斜面であるにもかかわらず）自動的に、基準面となる水平面に対して絶対的な垂直状態で垂立することになる。これは、傾斜面Ｓにおいて上側の傾斜面Ｓ１の傾斜角度と下側の傾斜面Ｓ１の傾斜角度が同程度である場合も同様である（図１４参照）。
【００４１】
［ゴルフ場監視カメラシステム］
上記のように構成した本実施の形態の野外用監視カメラシステムＭＣは、例えば、ゴルフ場監視カメラシステムに好適に具現化することができ、この場合、以下のようにしてゴルフ場の所定の設置場所に設置される。まず、図１５に示すように、例えば、ショートホールにおいてホールインワンの確認資料としての映像を撮影する場合、野外用監視カメラシステムＭＣは、カメラ本体５７の撮影範囲が、ゴルフボールの最終ショット位置（ショートホールの場合はティーイングラウンドＴ上のショット位置）からグリーンＧ１，Ｇ２上のカップＨ内に落下するまでの範囲を有する（フェアウェイ、ラフ等からなる）コース面Ｃの全範囲を少なくとも含むよう、その設置位置を決定する。詳細には、野外用監視カメラシステムＭＣは、グリーンＧ１，Ｇ２の背後（後方）の場所であって、林や木立等、プレイの妨げとならない設置可能範囲Ｂのいずれかの位置に設置するが、上記のとおり、１台のカメラ本体５７のみで、かつ、カメラ本体５７のアングルを固定して、前記第１の映像から第４の映像までを全て連続的に撮影することができるよう、最も適切な設置位置を選択する。基本的には、グリーンエッジから後方に所定距離離れた地点（例えば、１０メートル以上離れた地点）であって、グリーンＧ１，Ｇ２上のピンＰ又はカップＨとティーイングラウンドＴ（好ましくは、ティーイングラウンドの左右中央）とを結ぶ仮想線上に位置するよう、野外用監視カメラシステムＭＣの設置位置を決定する。
【００４２】
＜設置例１＞
例えば、図１５に示すように、コース面ＣにメイングリーンＧ１と予備グリーンＧ２とが設けられている場合、通常は、メイングリーンＧ１がプレイで使用されることになるが、この場合、メイングリーンＧ１の背後の設置可能範囲Ｂにおいて、メイングリーンＧ１のピンＰとティーイングラウンドＴとを結ぶ仮想線上に位置するよう野外用監視カメラシステムＭＣの設置位置を決定する。そして、設置位置を決定したら、その設置位置に、上記のようにして、台座ユニット１０を設置し、その台座ユニット１０に監視カメラ本体を組み付けて固定することにより、当該設置位置に野外用監視カメラシステムＭＣを垂立状態で設置する。ここで、メイングリーンＧでは、日によってピンＰ及びカップＨの位置が変更される場合があるため、この場合、ピンＰ及びカップＨの変更後の位置に応じて野外用監視カメラシステムＭＣの設置位置を変更する。図１５の例は、後方から見てメイングリーンＧ１の右側にピンＰが配置される場合の野外用監視カメラシステムＭＣ１の設置位置と、後方から見てメイングリーンＧ１の左側にピンＰが配置される場合の野外用監視カメラシステムＭＣ２の設置位置とを示す。更に、メイングリーンＧ１の修復等のために予備グリーンＧ２が使用されることになる場合は、やはり、メイングリーンＧ１上におけるピンＰの位置の変更の場合と同様、予備グリーンＧ２のピンＰ及びカップＨの位置に応じて野外用監視カメラシステムＭＣの設置位置を変更する。図１５の例は、後方から見て補助グリーンＧ２の中央にピンＰが配置される場合の野外用監視カメラシステムＭＣ３の設置位置を示す。なお、上記のとおり、前記設置位置は、基本的には、グリーンＧ１，Ｇ２のピンＰとティーイングラウンドＴを結ぶ仮想線上におけるグリーンＧ１，Ｇ２後方の設置可能範囲Ｂ内の位置となるが、カメラ本体５７が真東や真西等に配向され、直射日光がカメラ本体５７のレンズ５７ａに入射する場合は、前記設置位置を前記仮想線上からずらして他の設置位置に変更する必要がある。
【００４３】
＜カメラアングル及び構図の調節＞
上記のように所定の設置位置に野外監視用カメラシステムＭＣを設置したら、作業者は、まず、操作箱４０の操作扉４４を開き、（初期状態の角度設定における）カメラ本体５７が撮影しているフィールドの範囲（コース面Ｃ内の範囲）を液晶モニター４７で確認し、カメラ本体５７による撮影範囲が、ゴルフボールの飛球落下範囲及び転動範囲となる（フェアウェイ、ラフ等からなる）コース面Ｃの全範囲を含み、かつ、前記第１の映像から第４の映像までを全て連続的に撮影することができるような範囲（以下、「最適撮影範囲」という。）となっているかどうか確認する。そして、そのような最適撮影範囲が得られていない場合、作業者は、（脚立等を使用して）支柱３０の上端のカメラ本体５７の上下方向の角度を調整してカメラアングルを調節すると共に、左右方向の角度を調整して構図を調節する。具体的には、作業者は、（脚立等を使用して）カメラ本体５７の固定螺子５４の角度調整溝５２ａ内の位置を変更して上下角度を調整すると共に、固定螺子５６の角度調整溝５２ｂ内の位置を変更して左右角度を調整する。この作業は、前記最適撮影範囲が得られるまで繰り返す。
【００４４】
ここで、上記最適撮影範囲を決定する条件としては、まず、第１の条件として、撮影高さ位置となるカメラ高さ位置（カメラ本体５７のレンズ５７ａの高さ位置）がある。このカメラ高さ位置は、支柱３０の高さ寸法に依存するため、基本的には、第１の条件は、支柱３０の高さ寸法により決定される。また、上記最適撮影範囲を決定する第２の条件として、カメラ本体５７の撮影機能上のパラメータのうちの主要パラメータである画角がある。即ち、カメラ本体５７の画角により、左右方向の撮影範囲及び上下方向の撮影範囲が決定されると共に、前後方向の（厳密な意味のピントではないが）実質的なピントが合っている距離範囲（即ち、前後方向において鮮明な映像が得られる距離範囲）である被写界深度も決定される。そこで、本実施の形態では、まず、カメラ本体５７の画角として、前記最適撮影範囲を得ることができることと、鮮明な映像を得ることができることの２点から、最適な画角範囲を設定している。なお、このようなカメラ本体５７の画角の一例としては、５０度前後の範囲（一般的な標準レンズの画角範囲）とすることができ、例えば、４５〜５５度の範囲、４８度〜５０度の範囲等に設定することもできる。或いは、カメラ本体５７の画角の他の例としては、６０度以上の範囲（一般的な広角レンズの画角範囲）とすることもでき、例えば、６０度〜１００度の範囲とすることもできる。更に、カメラ本体５７の画角の他の例としては、１００度以上の範囲（一般的な超広角レンズの画角範囲）とすることもでき、例えば、１００度〜１２０度の範囲としたり、（好ましくは）１２０度前後の範囲とすることもできる。なお、カメラ本体５７の画角を水平方向で１２０度前後とした場合、コース面Ｃの範囲や起伏等の地形的な条件がどのようなものとなっても、及び、プレイヤーの歩行軌跡がどのようなものとなっても（例えば、コース面Ｃから大きく逸脱することとなっても）、上記第１〜第４の映像の全てを完全に網羅して撮影することができる。一方、コース面Ｃの範囲や起伏等の地形的な条件が通常の範囲内であり、（プレイヤーがコース面Ｃ内の身を移動する場合における）プレイヤーの歩行軌跡が通常の範囲内となる場合（コース面Ｃから逸脱せずコース内となり、かつ、コース面Ｃのある程度中央寄りを移動する場合）、カメラ本体５７の画角は５０度前後とすることができ、この場合も、上記第１〜第４の映像の全てを完全に網羅して撮影することができる。一方、カメラ本体５７の垂直方向の画角については、５０度前後とすることで、垂直方向における必要撮影範囲の全て（ティーイングラウンドＴからグリーンＧ１，Ｇ２までのゴルフボールやプレイヤーの挙動の全て）を網羅して撮影することができる。
【００４５】
ここで、カメラ本体５７の画角は、正確には、レンズ５７ａ自体の画角と、レンズ５７ａからの実写映像（イメージデータ）を受像して光電変換する（カメラ本体５７に内蔵された）ＣＭＯＳイメージセンサ等の固体撮像素子の特性とにより決定されるものであるため、ある機種のカメラ本体５７の画角１２０度が他の機種のカメラ本体５７の画角１３０度に相当する場合もあるため、本発明におけるカメラ本体の画角は、相対的なものとなる。いずれにしても、カメラ本体５７の画角は、上記所望の撮影範囲を得ることができるよう設定される一方、カメラ本体５７の能力にも依存するため、プレイヤーの移動軌跡がコース面Ｃの中央部より大きく外れたり、コース面Ｃを多少外れる場合を想定すると、好ましくは、カメラ本体５７の画角は、８５度前後とすることが好ましい。このように、カメラ本体５７の画角を８５度とすると、通常のコース面Ｃにおいてプレイヤーがどのような移動軌跡上を移動したとしても、プレイヤーの移動する映像を途切れることなく鮮明に撮影できることを、本発明者らは実験により確認している。したがって、本発明において、カメラ本体の画角は、８５度〜１２０度の範囲内とすることも非常に効果的である。特に、上記のように、カメラ本体の画角を１２０度前後とした場合、プレイヤーがコース面Ｃの内側ではなく外側を移動する場合、特に、（殆どのプレイヤーが行うように）カートに乗ってカート道を移動する場合であっても、プレイヤーの姿を途切れることなく映像に記録することができる。即ち、コース面Ｃが（グリーンの位置から最終ショットの位置までを）ある程度見通せるようなコース条件（ある程度直線的なコース条件）を有している場合、カメラ本体５７の画角を１２０度前後とすれば、コース面Ｃをある程度外れて（即ち、カート道に沿って移動する）プレイヤーについても、その映像を確実にさつえいすることができる。
【００４６】
一方、カメラ本体５７の上下方向の調整角度は、（前記カメラ高さ位置Ｈ１及び垂直方向の画角との関係で）上方に１０度〜１５度（好ましくは１５度前後）とし、下方に１０度〜１５度（好ましくは１５度前後）として、合計で上下方向に２０度〜３０度の範囲内（好ましくは３０度前後の範囲内）で調整可能とすればよい。また、カメラ本体５７の左右方向の調整角度は、（主に前記水平方向の画角との関係で）左方に１０度〜１５度（好ましくは１５度前後）とし、右方に１０度〜１５度（好ましくは１５度前後）として、合計で左右方向に２０度〜３０度の範囲内（好ましくは３０度前後の範囲内）で調整可能とすればよい。なお、前記シェード本体６１の上下角度の調整は、シェード本体６１がカメラ本体５７を日射から効果的に遮蔽して熱的に保護する等の目的で行われるため、カメラ本体５７の上下方向の調整角度と同等とすることができ、例えば、上方に１０度〜１５度（好ましくは１５度前後）とし、下方に１０度〜１５度（好ましくは１５度前後）として、合計で上下方向に２０度〜３０度の範囲内（好ましくは３０度前後の範囲内）で調整可能とすればよい。なお、図１５では、カメラ本体５７の水平方向の画角（撮影可能範囲）θＨを概略的に描画しているが、（図面描画上の制約により）この画角θＨは実際の画角より小さく描画されている。同様に、図１６においても、カメラ本体５７の垂直方向の画角（撮影可能範囲）θＶを概略的に描画しているが、（図面描画上の制約により）この画角θＶは実際の画角より小さく描画されている。
【００４７】
また、カメラ本体５７の高さ位置Ｈ１を決定する支柱３０の高さ寸法は、グリーンの凹凸、起伏等の空間的条件に応じて、１．５〜２．０メートルの範囲内、２．０〜２．５メートルの範囲内、２．５〜３．０メートルの範囲内等とすることができる。基本的には、コース面Ｃの地形（特に、グリーンＧ１，Ｇ２の起伏や凹凸等）の条件が通常の範囲内である場合、支柱３０の高さ寸法は、２．５メートル前後とすれば、カメラ本体５７により（第１〜第４の映像を途切れることなく連続して撮影するための）前記最適撮影範囲を得ることができる。一方、支柱３０の高さ寸法は、３．０メートル前後とすれば、グリーンＧ１，Ｇ２の中央部にこぶや窪み等があり、こぶや窪み等によって隠れる位置にカップＨが配置される等の特殊な条件の場合も含めて、基本的にあらゆる条件下で、カメラ本体５７により（第１〜第４の映像を途切れることなく連続して撮影するための）前記最適撮影範囲を得ることができる。したがって、支柱３０の高さ寸法は、２．５〜３．０メートルの範囲内とすることが好ましい。或いは、支柱３０の高さ寸法は、４．０メートル前後とすることで、グリーンＧ１，Ｇ２の中央部に特殊な寸法及び形状のこぶや窪み等があり、そのようなこぶや窪み等によって大きく隠れる位置にカップＨが配置される等の非常に特殊な条件の場合も含めて、想定しうるあらゆる条件下で、カメラ本体５７により（第１〜第４の映像を途切れることなく連続して撮影するための）前記最適撮影範囲を得ることができる。したがって、上記の点を考慮して、支柱３０の高さ寸法は、２．５〜４．０メートルの範囲内とすることが一層好ましい。更に、カメラ本体５７の高さ位置Ｈ１は、台座ユニット１０のボルト軸１２上での下側ナット１３の高さ位置を上下方向に調整することによっても、（ボルト軸１２の高さ寸法の範囲内で）微調整することができる。
【００４８】
上記のように、所定画角に設定すると共に、支柱３０の高さ寸法の設定により所定高さ位置Ｈ１としたるカメラ本体５７を使用してコース面Ｃの撮影範囲の確認を行うが、このとき、作業者は、操作箱４０の液晶モニター４７を見ながら実際の撮影範囲を容易に確認して、その確認した撮影範囲に基づき、最適撮影範囲となるようカメラ本体５７の角度を容易に調整することができる。即ち、撮影に不慣れな初心者であっても、液晶モニター４７を使用して撮影範囲の確認を行うことにより、カメラ本体５７の角度を最適なものとなるよう確実に調整することができる。
【００４９】
＜設置例２＞
図１６は、図１５の設置例１と同様のコース面Ｃについて、垂直方向における撮影範囲を説明するためのものであるが、図１６の左下側に示すように、例えば、メイングリーンＧ１が全体的に隆起している場合、その前縁側の周縁部Ｍ１や後縁側の周縁部Ｍ２が凹部状又は窪み状となって存在することになる。この場合、野外用監視カメラシステムＭＣは、カメラ本体５７の高さ位置Ｈ１を変更したり、その設置位置を前後方向に移動したりして、メイングリーンＧ１のどの位置にピンＰ及びカップＨが配置される場合でも（特にメイングリーンＧ１におけるゴルフボールの転動軌跡を逃すことなく）前記第１〜第４の映像を時間的及び空間的に途切れることなく鮮明に撮影できるようにすることができる。例えば、メイングリーンＧ１の中央の隆起箇所（最も高位置の箇所）にピンＰ及びカップＨが配置される場合、前記設置可能範囲Ｂ内の第１の配置態様で野外用監視カメラシステムＭＣ１４を配置する。また、メイングリーンＧ１の前側の周縁部Ｍ１近傍（前側の最も低位置の箇所）にピンＰ及びカップＨが配置される場合、前記設置可能範囲Ｂ内の第２の配置態様で野外用監視カメラシステムＭＣ１５を配置する。この第２の配置態様は、前記第１の配置態様と前後方向の位置は同一であるが、支柱３０の高さ寸法を第１の配置態様の支柱３０の高さ寸法より大きく設定して、カメラ本体５７の高さ位置Ｈ１を第１の配置態様の場合より所定寸法ｍ１だけ高い位置に設定している。また、メイングリーンＧ１の後側の周縁部Ｍ２近傍（後側の最も低位置の箇所）にピンＰ及びカップＨが配置される場合、前記設置可能範囲Ｂ内の第３の配置態様で野外用監視カメラシステムＭＣ１６を配置する。この第３の配置態様は、野外用監視カメラシステムＭＣ１６の設置位置を、前記第１の配置態様よりも後方に所定距離ｍ２だけ移動したものであるが、支柱３０の高さ寸法は第１の配置態様の支柱３０の高さ寸法と同様であり、カメラ本体５７の高さ位置Ｈ１も第１の配置態様の場合と同様である。このように、メイングリーンＧ１の起伏や凹凸等の条件やピンＰ及びカップＨの配置位置に応じて、野外用監視カメラシステムＭＣ１４，ＭＣ１５，ＭＣ１６の配置態様（前後方向又は左右方向の配置位置やカメラ高さ位置Ｈ１）を適宜変更することで、前記第１〜第４の映像を時間的及び空間的に途切れることなく鮮明に撮影できるようにすることができる。同様に、図１６の左上側に示すように、予備グリーンＧ２の中央部に窪み部Ｄがある場合も、野外用監視カメラシステムＭＣ１７の配置態様を適宜変更することで、前記第１〜第４の映像を時間的及び空間的に途切れることなく鮮明に撮影できるようにすることができる。なお、図１６の右側に示すように、いずれの配置態様においても、カメラ本体５７は、ティーイングラウンドＴを鮮明に撮影することができるようになっている。
【００５０】
＜設置例２＞
図１７は、例えば、（ドッグレッグの）ロングホールにおいてチップインの確認資料としての映像を撮影する場合を説明するものであり、図１７に示すように、野外用監視カメラシステムＭＣ２１，ＭＣ２２は、カメラ本体５７の撮影範囲が、ゴルフボールの最終ショット位置（ロングホールの場合は最終ショットの予想地点を網羅する予想ショット範囲ＳＡ）からグリーンＧ上のピンＰの位置（カップ）までの範囲を有する（フェアウェイ、ラフ等からなる）コース面Ｃの所定範囲を少なくとも含むよう、その設置位置を決定する。なお、この場合も、図１５の場合と同様、野外用監視カメラシステムＭＣ２１，ＭＣ２２は、設置可能範囲Ｂのいずれかの位置に設置され、基本的には、グリーンエッジから後方に所定距離離れた地点であって、グリーンＧ上のピンＰと予想ショット範囲ＳＡとを結ぶ仮想線上に設置される。なお、図１７でも、カメラ本体５７の水平方向の画角（撮影可能範囲）θＨを概略的に描画しているが、（図面描画上の制約により）この画角θＨは実際の画角より小さく描画されている。
【００５１】
＜作用効果＞
上記のように、同一のコース面Ｃであっても、グリーンＧ，Ｇ１，Ｇ２上のピンＰの位置の変更に応じて、更には、メイングリーンＧ１と予備グリーンＧ２とのいずれかを使用するか等の条件の変更に応じて、年間を通して頻繁に野外用監視カメラシステムＭＣの設置位置を変更する必要がある。また、設置位置を決定して野外用監視カメラシステムＭＣを設置した場合でも、上記の最適撮影範囲を得るために、野外用監視カメラシステムＭＣの設置位置を微調整することが必要になる場合もある。このように、前記第１〜第４の映像を空間的及び時間的に途切れることなく連続して撮影し、かつ、鮮明な映像を得るためには、野外用監視カメラシステムＭＣを必要に応じて迅速かつ容易に最適な設置位置に移動することが非常に便宜である。この点、本実施の形態では、野外用監視カメラシステムＭＣを、台座ユニット１０と監視カメラシステム本体と蓄電池７０とを分解して別個に運搬することができ、設置位置の変更を迅速かつ容易に行うことができる。また、このとき、蓄電池７０が２個で１組となっているため、（重量物となる）蓄電池７０を１個単位で持ち運ぶことができ、その運搬が容易となる。更に、台座ユニット１０も４個の固定ブロック１１に分割されているため、個々の固定ブロック１１を別個に持ち運ぶことができ、その運搬が容易である。
【００５２】
また、台座ユニット１０は、同一構成の４個の固定ブロック１１を接地面上に所定の態様で隣接配置することにより、（４個の固定ブロック１１の）４本のボルト軸１２が、収納箱２０の支持片２２の４個の螺子挿通孔と整合する位置に配置されることになり、収納箱２０の支持片２２の螺子挿通孔にボルト軸１２を挿通するだけで、収納箱２０を水平方向への移動不能となるよう水平方向の所定位置に位置決めし、かつ、（４本のボルト軸１２上の）４個の下側ボルト１３により、収納箱２０の上下方向位置を固定することができる。したがって、設置位置に敷設した台座ブロック１０に対する収納箱２０の固定作業（及び、収納箱２０を一体化している監視カメラシステム本体）の組み付け固定作業を迅速かつ簡単に行うことができる。
【００５３】
ところで、台座ユニット１０の固定ブロック１１は、上記のように正方形薄板状とするほか、長方形薄板状の矩形薄板状、三角形薄板状や五画形薄板状等の多角形薄板状、円形薄板状、楕円形薄板状等とすることもできるが、正方形薄板状等の矩形薄板状とすると、４個の固定ブロック１１を隣接配置するときの収まりがよく、台座ユニット１０の所定位置への設置が容易になるという効果が得られる。また、台座ユニット１０において、収納箱２０の支持片２２を下方から当接支持して水平状態に保持する構成としては、支持高さ調節軸としてのボルト軸１２及び重量物支持部としての下側ナット１３以外の構成を採用することもできる。即ち、台座ユニットは、固定ブロックと、固定ブロックから上方に垂直に突出する支持高さ調節軸と、支持高さ調節軸に外嵌されることで種々の所定の高さ位置に固定できる重量支持部とからなり、支持高さ調節軸に固定した重量支持部により収納箱２０の支持片２２の下面を当接支持する構成であれば、任意の構成を採用することが可能である。例えば、支持高さ調節軸として、メタルラックのポールと同様の軸材を使用し、その軸材を、固定ブロック１１の中心に、上方に向かって垂直に所定長突出するよう（その下端部を埋設する等して）固定する一方、重量支持部として、メタルラックの（ポールの種々の高さ位置に外嵌して固定されるスリーブ状の）棚板固定部品と同様のスリーブ材を使用し、そのスリーブ材を軸材の種々の所望高さ位置に外嵌して固定することにより、当該軸材に固定したスリーブ材の上端により、収納箱２０の支持片２２の下面を当接支持するように構成することもできる。なお、この場合、前記重量物固定部は、前記下側のスリーブ材と同様の上側のスリーブ材として、下側のスリーブ材に載置支持した収納箱２０の支持片２２の上面を上側のスリーブ材との間で挟持して、収納箱２０の上方への移動を規制するようにすることもできる。或いは、支持高さ調節軸の所望高さ位置に固定できるフック状のものを重量物支持部とすることもできる。また、上側ナット１４等の重量物固定部は、省略することもできなくはないが、収納箱２０の上方への移動規制を確実に行って台座ユニット１０に収納箱を確実に固定するためには有効な部材である。特に、強風によって支柱側構造物に負荷が加わった場合を考慮して、収納箱２０は台座ユニット１０に確実に固定することが好ましい。なお、強風による支柱側構造物への負荷を軽減する点では、シェード６０を省略することも一つの対策となる。シェード６０は、カメラ本体５７に対する熱的負荷や直射日光の入射等を防止するための部材であるが、シェード６０を省略しても、カメラ本体５７のカメラ機能に大きな影響はないと考えられるため、いずれにしても、シェード６０は任意の部材となる。
【００５４】
また、台座ユニット１０は、４枚の固定ブロック１１とすることが、台座ユニットへの固定後の収納箱２０の前後左右の水平度（及び、これによる監視カメラシステム本体の垂直度）を確実に出せる点及び製造コストの点等から最適であるが、５枚以上の固定ブロックから構成することもできる。即ち、野外用監視カメラシステムＭＣが大型化した場合、固定ブロックの枚数を５枚以上に増やすことで、台座ユニットによる監視カメラシステム本体の支持安定性を増大できる可能性があるため、場合によっては、例えば、６枚又は８枚の固定ブロックを前後に３枚又は４枚ずつ配置し、収納箱の前後の支持片にボルト軸を３本又は４本ずつ挿通して下側ナット１３及び上側ナット１４間で固定することもできる。また、前後に異なる個数の固定ブロックを配置するよう構成することもできる。例えば、前側に奇数の固定ブロックを配置し、後側に偶数の固定ブロックを配置したり、逆に、後側に奇数の固定ブロックを配置し、前側に偶数の固定ブロックを配置したりすることもできる。即ち、固定後の収納箱の前後左右の水平度を出すことができる限りにおいて、固定ブロックの形状、枚数、寸法等は、収納箱の寸法や形状等に応じて適宜変更することができる。なお、台座ユニット１０を使用する利点として、上記のように、収納箱２０の水平度を容易に出せるという点があり、また、これにより、（収納箱の固定した）全体として柱状となる監視カメラ本体の垂直度を容易に出せるという点があるが、特に、施工現場で設置面が傾斜面や凹凸面である場合に、その設置面に（例えば、図１３や図１４に示すようにして）固定ブロック１１を（必要な場合は接地面の一部を部分的に削ったりして）水平に敷き詰めることで、簡単な作業で確実に水平度を出すことができるという利点がある。例えば、台座ユニットを使用せずに、監視カメラシステム本体を（即ち、収納箱を）接地面に載置する場合は、その設置面を掘削して接地面自体を完全な水平面に加工するという作業が必要となり、多大な労力及び作業時間が必要となる。即ち、この場合、上記のように、野外用監視カメラシステムをコース状況等に応じて簡易に移動するという要請に応えることが困難となる。
【００５５】
また、本発明の野外用監視カメラシステムをゴルフコース監視システムに適用する場合、記録映像をホールインワン保険の申請時の証拠資料として使用する以外に、（映像データをＣＤ等に記録して）プレイヤーの記念用の映像として使用することもできるが、特に、記念用の映像とする場合、映像の水平度を確保することが（商品価値の点から）必須となり、上記のように、４枚の固定ブロック１１を使用した台座ユニット１０によって水平度を確保することが非常に効果的となる。一方、本発明の野外用監視カメラシステムを不法投棄監視システム等のその他の用途に使用する場合、上記記念映像の場合のように完全な水平度を確保しなくてもよい場合もある可能性があり、この場合は、台座ユニット１０における固定ブロック１１の枚数を４枚以外の枚数としても、用途に応じた映像を撮影することができると考えられる。いずれにしても、台座ユニット１０への固定後には、支柱３０が最低限の垂直度で上下方向に延びていないと、上端部に固定されたカメラユニット５０等の重量により支柱３０に傾倒する方向の力が常に加わることになるため、強風等に対する倒壊の可能性の点からは、支柱３０の最低限の垂直度を確保するよう、台座ユニット１０の固定ブロックの構成を決定する必要がある。また、支柱３０の高さ寸法を３メートル以上の寸法、特に４メートル等の長寸法とする場合、強風等に対する倒壊の可能性を確実に防止するため、支柱３０の下端部を支持固定する収納箱２０の底面積を大きくする（例えば、その幅寸法、即ち、支持片２２の長さを大きくする）ことが効果的である。いずれにしても、支柱３０の高さ寸法を大きくすればカメラ本体５７による撮影範囲に柔軟性を持たせることができる一方、その下端部の（収納箱２０等による）固定力を増強する必要があるため、これら撮影範囲の柔軟性と固定力との関係も考慮して、支柱３０の高さ寸法を設定することが好ましい。
【００５６】
更に、上記の実施の形態の例では、支柱３０は、２本の湾曲棒状の垂立部３１間を下側連結部３１等により連結した柱状構成であるが、支柱は、２本の直線棒状の垂立部間を連結部により連結した柱状構成とすることもできる。この場合、支柱自体の製造コストを低減することができる。更に、１本の直線棒状の垂立部のみで支柱を構成することもできる。この場合、支柱自体の製造コストを更に低減することができる。即ち、支柱は、上下方向に垂直に延びる柱状をなす限りにおいて、任意の構成とすることができる。また、支柱の材料は、耐食性や耐候性等に優れるものであれば任意の材料とすることができ、防錆加工を施した鉄材料としたり、アルミ材料としたりすることもできるが、好ましくは、ステンレス鋼により形成する。ステンレス鋼により支柱３０の垂立部３１等を形成した場合、垂立部３１に横架して固着される部材である下側連結部３２等と垂立部３１との間での溶接部を継ぎ目なく形成することが容易となる。また、前記操作箱４０は、上記実施の形態では、支柱３０の高さ方向のほぼ中央部に設けられているが、支柱３０の高さ方向寸法が大きくなれば、支柱の高さ方向中央部よりも相対的に低い位置に配置される。即ち、操作箱４０は、プレイヤー自身が操作箱４０からＳＤカードを回収することを予定しているため、支柱３０の下端から（即ち、接地面から）所定の高さ位置（例えば、１〜１．５メートルの範囲内）に設けることが好ましいが、無論、場合によっては、その他の高さ位置に設けることも可能である。
【００５７】
一方、カメラ本体５７からの映像の記録においては、操作盤４６の制御により、ＳＤカードに映像と共に当該映像の撮影日時がタイムスタンプとして記録されるため、記録改ざんの防止を有効に行うことができる。また、その撮影日時も操作盤４６のＧＰＳ機能により自動的に取得され、かつ、自動的に日時補正されるため、定期的に日時設定操作を行う必要がない。更に、操作盤４６の制御により、カメラ本体５７による撮影は設定時間範囲内だけ行われ、設定時間範囲外には撮影は行われない、効率的な撮影を行うことができる。
【００５８】
加えて、野外用監視カメラシステムＭＣは、前記設置可能範囲Ｂ内に設置されるが、この設置可能範囲Ｂは、プレイヤーのプレイの支障とならない場所であり、かつ、ゴルフ場の景観を損なわない場所（目立たない場所）であるため、野外用監視カメラシステムＭＣの設置によりプレイヤー等に不快感を与える等の不具合はない。また、野外用監視カメラシステムＭＣは、上下に細く延びる独特な外観を有しており、設置可能範囲Ｂ内の樹木等に紛れて目立たない外観となっている（例えば、風景に溶け込むような外観となっている）ため、やはり、野外用監視カメラシステムＭＣの設置によりプレイヤー等に不快感を与える等の不具合はない。
【００５９】
なお、カメラ本体５７からの映像を撮影したＳＤカードは、ホールインワンやチップインショットを成功したプレイヤー自身が、操作箱４０の操作扉４４を開いてＳＤカード挿入口４８から抜き取ることができる。この場合、操作箱４０の高さ位置Ｈ２は、（操作箱４０が支柱３０の高さ方向中央部に配設されることにより）プレイヤーが容易に到達できる高さに設定されている。したがって、プレイヤーは、必要時に、ＳＤカードを簡単に入手することができる。
【００６０】
上記のとおり、野外監視カメラシステムＭＣは、監視カメラを単数台としてコスト削減及びコンパクト化を図るにもかかわらず、所定フィールドの視野範囲の全体を空間的かつ時間的に途切れることなく鮮明に撮影して記録することができる野外用監視カメラシステムの提供を課題とし、４個の固定ブロックを設置面に設置し、そのボルト軸１２に収納箱２０の支持片２２を挿通して、下側ナット１３に載置支持することで、収納箱２０、支柱３０、操作箱４０、カメラユニット５０及びシェード６０からなる監視カメラシステム本体を台座ユニット１０に組み付けて固定する。フィールドの地形等に応じて撮影範囲や構図を変更する場合、台座ユニット１０から監視カメラシステム本体を取り外し、別の設置位置へ移動して、再度、台座ユニット１０に監視カメラシステム本体を固定する。したがって、野外監視カメラシステムＭＣは、高価な監視カメラの台数を単数台とすることで、（従来のように監視カメラを複数台使用する場合と比較して）監視カメラ用のコストを削減することにより全体の製造コストを大幅に低減すると共に、監視カメラを単数台とすることで、（従来のように監視カメラを複数台使用する場合のように）複数台の監視カメラで撮影した異なる映像の処理のためのハードウエア構成及びソフトウエア構成を不要として、全体の製造コストをさらに削減し、かつ、これらにより、全体の構成をコンパクト化すると共に、支柱を中心とした上下に延びる樹木類似の外観とすることができ、グリーンの背後の林等に設置した場合にその背景に溶け込んで、景観を損なうことがないという効果も発揮する。
【産業上の利用可能性】
【００６１】
本発明の野外用監視カメラシステムは、例えば、ゴルフコース監視カメラシステムに具体化して、ホールインワン保険の証拠資料としての記録映像を提供することができるようにしたり、不法投棄監視カメラシステムに具体化して、山林や河川敷とうにおける産業廃棄物の不法投棄を監視する記録映像を提供することができるようにしたり、種々の野外用監視カメラシステムに具体化することができる。
【符号の説明】
【００６２】
１０：台座ユニット、１１：固定ブロック、１２：ボルト軸、１３：下側ナット、１４：上側ナット
２０：収納箱、２１：収納部、２２：支持片、２３：蝶番、２４：収納扉、２５：ロック部材、２６：補強片
７０：蓄電池、７１：電池部、７２：把持部
３０：支柱、３１：垂立部、３２：下側の下部連結部、３３：上側の下部連結部、３４：下側の中央部連結部、３５：上側の中央部連結部、３６：上部連結部
４０：操作箱、４１：固定板、４２：固定螺子、４３：収納部、４４：操作扉、４５：鍵部、４６：操作盤、４７：液晶モニター、４８：ＳＤカード挿入口、４９：状態ランプ
５０：カメラユニット、５１：下部支持片、５２：上部支持片、５３：上下角度調整用の回動軸、５４：上下角度調整用の固定螺子、５５：左右角度調整用の回動軸、５６：左右角度調整用の固定螺子、５７：カメラ本体、５８：コード端部カバー、５９：入出力コード
６０：シェード、６１：シェード本体、６２：左右一対の下部支持片、６３：上部支持片、６４：上下角度調整用の回動軸、６５：上下角度調整用の固定螺子
【図１】
2015019667.tif 000003
【図２】
2015019667.tif 000004
【図３】
2015019667.tif 000005
【図４】
2015019667.tif 000006
【図５】
2015019667.tif 000007
【図６】
2015019667.tif 000008
【図７】
2015019667.tif 000009
【図８】
2015019667.tif 000010
【図９】
2015019667.tif 000011
【図１０】
2015019667.tif 000012
【図１１】
2015019667.tif 000013
【図１２】
2015019667.tif 000014
【図１３】
2015019667.tif 000015
【図１４】
2015019667.tif 000016
【図１５】
2015019667.tif 000017
【図１６】
2015019667.tif 000018
【図１７】
2015019667.tif 000019